(57)【要約】【課題】本来の通信機能以外の機能を利用する場合の消費電力の軽減した移動無線端末装置を提供する。【解決手段】制御部１００は、デジタル放送の受信をバックグラウンドで行う場合に、PMTができないような受信状態が悪化した状態が、所定時間継続するような場合に、デジタル放送受信部３０や信号処理部４０を停止させて、デジタル放送の受信を終了するようにしている。また制御部１００は、バックグラウンドで実行中のデジタル放送の受信状態が悪化しても、操作部６０を通じてユーザ操作が行われたり、あるいは放送データを記憶部７０に記録して録画を行っている場合には、デジタル放送の受信を終了しないようにしたものである。【選択図】      図１
2010004545.tif 000002
【特許請求の範囲】
【請求項１】
ネットワークに接続される基地局と無線通信する移動無線端末装置において、
放送信号を受信する受信手段と、
放送信号の受信状態を監視する監視手段と、
第１の制御をフォアグラウンドで実行するとともに、これに並行して選択的に第２の制御をバックグラウンドで実行する第１制御手段と、
前記第２の制御としてバックグラウンドで前記受信手段を制御して放送信号の受信を行っている際に、放送信号の受信状態が悪化した場合、前記第２の制御を停止する第２制御手段とを具備することを特徴とする移動無線端末装置。
【請求項２】
前記第２制御手段は、前記第２の制御としてバックグラウンドで前記受信手段を制御して放送信号の受信を行っている際に、放送信号の受信状態の悪化が予め設定した時間以上の間、継続する場合に、前記第２の制御を停止することを特徴とする請求項１に記載の移動無線端末装置。
【請求項３】
前記監視手段は、前記受信手段が受信した放送信号に定期的に含まれる情報を検出し、この検出結果に基づいて放送信号の受信状態を監視することを特徴とする請求項１または請求項２に記載の移動無線端末装置。
【発明の詳細な説明】
【技術分野】
【０００１】
この発明は、例えば携帯電話などの移動無線端末装置に関する。
【背景技術】
【０００２】
近時、携帯電話機などの移動無線端末装置では、電子メールやＷｅｂの閲覧機能など音声通信機能の他に、地上デジタル放送を受信する機能を備えるようになった。（例えば、特許文献１参照）  
しかしながら、多機能化に伴って消費電量も増大しているため、消費電力の軽減が求められている。
【特許文献１】特開２００７−１１０４４４号公報
【発明の開示】
【発明が解決しようとする課題】
【０００３】
従来の移動無線端末装置では、多機能化に伴って消費電量も増大しているため、消費電力の軽減が求められている。特に地上デジタル放送を受信した情報の音再生（や表示）の処理をバックグラウンドで実行し、地上デジタル放送波が受信できなくなった場合においては、音が再生されないため、使用しているユーザとしては、起動していることを忘れてしまう可能性がある。
【０００４】
これは特にバックグラウンドで処理して、ディスプレイに映像を表示しておらず音だけを再生処理させている場合（実質は地上デジタル放送波の受信ができていないため音の再生はない）においては、特にユーザは地上デジタル放送のアプリケーションを立ち上げていることを忘れてしまい、その間電力を消費してしまうこととなり問題となる。  
この発明は上記の要望に応えるべくなされたもので、本来の通信機能以外の機能を利用する場合の消費電力の軽減した移動無線端末装置を提供することを目的とする。
【課題を解決するための手段】
【０００５】
上記の目的を達成するために、この発明は、ネットワークに接続される基地局と無線通信する移動無線端末装置において、放送信号を受信する受信手段と、放送信号の受信状態を監視する監視手段と、第１の制御をフォアグラウンドで実行するとともに、これに並行して選択的に第２の制御をバックグラウンドで実行する第１制御手段と、第２の制御としてバックグラウンドで受信手段を制御して放送信号の受信を行っている際に、放送信号の受信状態が悪化した場合、第２の制御を停止する第２制御手段とを具備して構成するようにした。
【発明の効果】
【０００６】
以上述べたように、この発明では、第１の制御をフォアグラウンドで実行するとともに、これに並行して第２の制御としてバックグラウンドで放送信号の受信を行っている際に、放送信号の受信状態が悪化すると、放送信号の受信を停止するようにしている。  
したがって、この発明によれば、バックグラウンドで実行中の放送信号の受信状態が悪化して、ユーザが放送信号の受信中であることを忘れてしまっても、放送信号の受信を停止するので、バッテリの浪費を防止することが可能な移動無線端末装置を提供できる。
【発明を実施するための最良の形態】
【０００７】
以下、図面を参照して、この発明の一実施形態について説明する。この発明に関わる移動無線端末装置は、図１に示すように、主な構成要素として、無線通信部１０と、表示部２０と、デジタル放送受信部３０と、信号処理部４０と、通話部５０と、操作部６０と、記憶部７０と、イヤホン接続部８０と、スピーカ９０と、制御部１００とを備える。
【０００８】
無線通信部１０は、制御部１００からの指示にしたがって、携帯電話システムの移動通信網ＮＷに収容される基地局装置ＢＳと無線通信を行うものである。  
表示部２０は、LCD(Liquid Crystal Display)とバックライトを備え、制御部１００の指示にしたがって、LCDを制御してこれに画像（静止画像および動画像）や文字情報などを表示して、視覚的にユーザに情報を伝達するものである。また、表示部２０は、制御部１００からの点灯指示にしたがってバックライトを点灯させて上記LCDを照明し、LCD上に表示される情報の視認性を向上させ、一方、制御部１００から消灯指示があった場合には、バックライトを消灯させる。
【０００９】
デジタル放送受信部３０は、制御部１００からの指示にしたがって、例えばISDB-T規格に準拠した地上デジタル放送などのテレビ放送波を受信するものであって、受信した放送信号を信号処理部４０に出力する。  
信号処理部４０は、制御部１００からの指示にしたがって、デジタル放送受信部３０が受信した放送信号を処理し、映像データおよび音声データに復元し、これらのデータを制御部１００に出力する。
【００１０】
通話部５０は、ユーザの送話音声を電気信号に変換するマイクロホン５１や、その電気信号を符号化して音声データに変換する符号化部、通信相手から受信した音声データを復号して電気信号に変換する復号部、この電気信号を拡声出力するスピーカ５２などを備える。
【００１１】
操作部６０は、複数のキースイッチや回転式の入力スイッチを備えたもので、ユーザからの要求を受けるものである。  
記憶部７０は、制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたストリーミングデータや楽曲データ、放送信号に基づく録画データなどを記憶するものである。なお、これらのデータは、図示しないメモリカードインタフェースに着脱されるメモリカードに記憶するようにしてもよい。
【００１２】
イヤホン接続部８０は、イヤホン８１を接続するためのインタフェースであって、イヤホン８１が接続される場合には、制御部１００から与えられる音声信号をイヤホン８１に出力して、これより拡声出力を行い、一方、イヤホン８１が接続されない場合には、上記音声信号をスピーカ９０に出力して、これより拡声出力を行う。
【００１３】
制御部１００は、マイクロプロセッサを備え、記憶部７０が記憶する制御プログラムや制御データにしたがって動作し、当該移動無線端末装置の各部を統括して制御し、音声通信やデータ通信を実現するものである。また制御部１００は、記憶部７０が記憶するアプリケーションソフトウェアにしたがって動作し、電子メールの送受信や、Ｗｅｂブラウジング、ダウンロードしたストリーミングデータに基づいて動画像を表示部２０に表示する機能、記憶部７０が記憶する楽曲データに基づいて、音楽を再生する音楽再生機能などを備える。
【００１４】
また制御部１００は、日付や時刻を計時する時計機能を備えるとともに、デジタル放送受信部３０および信号処理部４０を制御して、放送信号を受信し、これに基づく映像を表示部２０に表示したり、音声信号をイヤホン８１やスピーカ９０から拡声出力するテレビ放送受信制御機能を備える。
【００１５】
そしてまた制御部１００は、これらの機能を複数同時に実行するマルチタスク制御機能を備える。すなわち、マルチタスク制御機能とは、バックグラウンドで楽曲データの再生処理やテレビ放送の受信処理を行ってその音声の拡声出力を行いながら、フォアグラウンドで、電子メールの作成を受け付けたり、電子メールの送信や、Ｗｅｂブラウジングを行うものである。なお、フォアグラウンドでの処理とは、原則として表示部２０による表示及び操作部６０によって操作された場合にその操作に基づいて処理が行われることを指す。また、バックグラウンドでの処理とは、原則として、表示部２０による表示及び操作部６０によって操作された場合にその操作に基づいて処理が行われないことを指す。なお、バックグラウンドでの処理においても、例外としてフォアグラウンドでの処理における表示を伴ってバックグラウンドの処理に伴う表示を行う場合、バックグラウンドでの処理からフォアグラウンドでの処理に移行する操作の受付を行う場合、その他予め定められたキーによる操作の受付を行う場合など例外はある。
【００１６】
次に、図２を参照して、地上デジタル放送の受信に関わる構成について説明する。制御部１００は、操作部６０を通じてユーザからテレビ放送の受信の指示を受け付けると、チューナコントローラ１０１、アナログ変換部１０２および表示処理部１０３を起動する。そして、表示処理部１０３は、表示部２０にチャンネル選択画像などを表示する。
【００１７】
操作部６０は、ユーザからのチャンネル指定を受け付けると、この指定に応じてチューナコントローラ１０１は、ユーザが指定するチャンネルのテレビ放送波を受信するように、デジタル放送受信部３０に指示を与える。この指示に応じてチューナ３１は、指示されたチャンネルの周波数の放送波を受信し、受信信号をOFDM(Orthogonal Frequency Division Multiplexing)復調部３２に出力する。
【００１８】
OFDM復調部３２は、チューナコントローラ１０１から指定されたチャンネルの信号をOFDM復調して、トランスポートストリームを得る。このトランスポートストリームは、信号処理部４０のＴＳ分離部４１によって、音声データと、映像データと、セクションデータなどのエレメンタリストリームに分離される。
【００１９】
このうち、セクションデータは、セクションデコーダ４４でデコードされ、制御データが得られる。この制御データは、制御部１００で解析され、テレビ放送波の受信制御に用いられたり、番組情報や種々の制御情報として記憶部７０に記録される。音声データは、音声デコーダ４２でデコードされた後、アナログ変換部１０２でアナログ音声信号に変換され、図示しない増幅器で信号増幅された後、イヤホン接続部８０を介して、イヤホン８１やスピーカ９０から拡声出力される。映像データは、例えばH.264規格で圧縮された動画データであって、映像デコーダ４３で伸長され、表示処理部１０３によって表示部２０上で映像化される。
【００２０】
また制御部１００は、操作部６０を通じて、録画要求あるいはタイマ録画要求を受け付けた場合には、受信したトランスポートストリームに含まれる音声データや映像データを録画データとして記憶部７０に記録する。タイマ録画の場合には、制御部１００は、自己の掲示機能に基づいて、録画時刻の到来を検出し、予めユーザから指定された時刻に、受信に必要な各部を起動して、指定されたチャンネルについて録画を行う。
【００２１】
次に、上記構成の移動無線端末装置の動作について説明する。以下の説明では特に、この発明に係わる、マルチタスクの１つとして地上デジタル放送を受信する際の処理について説明する。図３および図４は、それぞれ地上デジタル放送を受信する際に、制御部１００によってなされる制御を説明するフローチャートである。
【００２２】
これらの図に示す処理は、当該移動無線端末装置の電源が投入されると、電源が切られるまで繰り返し実行されるものであって、その制御プログラムは記憶部７０に記録されている。なお、制御部１００は、図３や図４に示す処理以外にも、必要に応じて種々の処理を並行して実施しており、その制御プログラムも記憶部７０に記録されている。並行して実施する処理としては、着信待ち受け処理はもとより、マルチタスク処理を実行する場合には、電子メールの送受信、電子メールを作成するための入力受付処理、パケット通信によるＷｅｂブラウジング、受信している放送の録画処理などの処理が考えられる。
【００２３】
まず、図３に示す処理について説明する。ステップ３ａにおいて制御部１００は、操作部６０を通じてユーザからデジタル放送の受信要求が与えられてか否かを判定する。ここで上記受信要求が操作部６０を通じて与えられた場合には、ステップ３ｂに移行し、一方、上記受信要求が与えられない場合には、引き続きステップ３ａにて上記要求の発生を監視する。
【００２４】
ステップ３ｂにおいて制御部１００は、デジタル放送の受信に必要なデジタル放送受信部３０や信号処理部４０などを起動し、ステップ３ｃに移行する。これによりデジタル放送の受信に必要なデジタル放送受信部３０や信号処理部４０などが起動され、各部はデジタル放送の受信を開始する。
【００２５】
このため、ステップ３ｂ以降は、OFDM復調部３２で復調されたトランスポートストリームをＴＳ分離部４１が、音声データと、映像データと、セクションデータなどのエレメンタリストリームに分離し、セクションデコーダ４４は、ＴＳ分離部４１からセクションデータが与えられると、これをデコードして、制御部１００に出力する。
【００２６】
ステップ３ｃにおいて制御部１００は、操作部６０を通じてユーザからデジタル放送の受信をバックグラウンドで実行する要求が与えられてか否かを判定する。ここで上記要求が操作部６０を通じて与えられた場合には、ステップ３ｄに移行し、一方、上記要求が与えられない場合には、引き続きステップ３ｃにて上記要求の発生を監視する。
【００２７】
ステップ３ｄにおいて制御部１００は、デジタル放送の受信をバックグラウンドで実行し、ステップ３ｅに移行する。デジタル放送の受信をバックグラウンドで実行する場合とは、フォアグラウンドで他の処理（電子メールの作成など）を実行させながら、デジタル放送の音声のみをユーザが視聴するための処理である。すなわち、このとき、フォアグラウンドでは、他の処理を制御部１００は実行する。
【００２８】
このため、デジタル放送の受信をバックグラウンドで実行する場合、音声については、音声デコーダ４２によって得られたデジタル音声信号をアナログ変換部１０２がアナログ音声信号に変換し、イヤホン接続部８０を介して、イヤホン８１やスピーカ９０から拡声出力する。一方、映像については、映像デコーダ４３は映像データのデコードは行わず、また表示処理部１０３も放送映像を表示するための制御は行わず、フォアグラウンドで実行される映像や、待ち受け画面の映像を表示する。
【００２９】
ステップ３ｅにおいて制御部１００は、カウントダウンタイマＴ１を起動し、予め設定された時間（例えば、６００秒）のカウントダウンを開始し、ステップ３ｆに移行する。  ステップ３ｆにおいて制御部１００は、セクションデコーダ４４からセクションデータに基づく制御データが入力されたか否かにより、セクションデータが受信できたか否かを判定する。ここで、制御データが入力されて、セクションデータが受信できた場合には、ステップ３ｇに移行し、一方、制御データが入力されず、セクションデータが受信できない場合には、ステップ３ｉに移行する。
【００３０】
ステップ３ｇにおいて制御部１００は、セクションデコーダ４４から与えられる制御データのセクションヘッダを解析し、ステップ３ｈに移行する。  
ステップ３ｈにおいて制御部１００は、ステップ３ｇの解析の結果、セクションヘッダにPMT(Program Map Table)が含まれているか否かを判定する。ここで、PMTが含まれている場合には、ステップ３ｋに移行し、一方、PMTが含まれていない場合には、ステップ３ｉに移行する。なお、PMTとは、番組を構成する各符号化信号を伝送するTSパケットのPIDであり、５００ミリ秒以内の頻度で送信局より送信される。
【００３１】
ステップ３ｉにおいて制御部１００は、操作部６０に対する操作を監視して、ユーザがバックグラウンドで起動されている地上デジタル放送アプリケーションに対する操作（バックグラウンドの処理に対する例外操作）を行ったか否かを判定する。例えば、フォアグラウンドでメールアプリケーション（メール作成処理）を行っており、それに対するユーザ操作が行われたとしても、ステップ３ｉにおいての操作ありと判定しない。なお、この判定では、受信状態が悪化してから所定時間が経過するまでの間に、単にユーザ操作（フォアグラウンドの処理に対する操作も含む）がない場合に、ユーザ操作なしと判定するようにしてもよい。
【００３２】
そして、操作が行われている場合には、ステップ３ｋに移行し、一方、操作が行われていない場合には、ステップ３ｊに移行する。なお、ここで監視する操作は、放送受信に関する操作に限定してもよい。例えば、受信チャネルの変更や、再生音量の変更を求める操作などである。あるいは、ステップ３ｃで判定した、バックグラウンドで実行する要求についての操作も、ステップ３ｉでのユーザ操作と見なしてもよい。
【００３３】
ステップ３ｊにおいて制御部１００は、受信している放送の録画中、すなわち受信した映像データや音声データを記憶部７０に記録する処理を行っている最中であるか否かを判定する。ここで、放送の録画中の場合には、ステップ３ｋに移行し、一方、録画中ではない場合には、ステップ３ｌに移行する。
【００３４】
ステップ３ｋにおいて制御部１００は、上記カウントダウンタイマＴ１を再起動する。すなわち、上記カウントダウンタイマＴ１によるカウントダウンを、初めから再開して、ステップ３ｍに移行する。
【００３５】
ステップ３ｌにおいて制御部１００は、ステップ３ｅもしくはステップ３ｋで開始した上記カウントダウンタイマＴ１のカウントダウンが、タイムアウトしたか否かを判定する。すなわち、ステップ３ｅもしくはステップ３ｋで開始したカウントダウンから、予め設定された時間（例えば、６００秒）が経過したか否かを判定する。ここで、予め設定された時間が経過した場合には、ステップ３ｏに移行し、一方、予め設定された時間が経過していない場合には、ステップ３ｍに移行する。
【００３６】
ステップ３ｍにおいて制御部１００は、操作部６０を通じてユーザからデジタル放送の受信をフォアグラウンドで実行する要求が与えられてか否かを判定する。ここで上記要求が操作部６０を通じて与えられた場合には、ステップ３ｎに移行し、一方、上記要求が与えられない場合には、ステップ３ｆに移行する。
【００３７】
ステップ３ｎにおいて制御部１００は、デジタル放送の受信をフォアグラウンドで実行し、ステップ３ｃに移行する。デジタル放送の受信をフォアグラウンドで実行する場合とは、ユーザが通常の放送視聴を行うための処理である。
【００３８】
このため、デジタル放送の受信をフォアグラウンドで実行する場合、音声については、音声デコーダ４２によって得られたデジタル音声信号をアナログ変換部１０２がアナログ音声信号に変換し、イヤホン接続部８０を介して、イヤホン８１やスピーカ９０から拡声出力する。一方、映像については、映像デコーダ４３が映像データのデコードを行い、表示処理部１０３は上記デコードの結果に基づく映像を表示部２０に表示する制御を行い、映像をユーザに映示する。
【００３９】
ステップ３ｏにおいて制御部１００は、表示部２０上で、デジタル放送の受信を終了する旨の表示を既に表示している映像上にポップアップ表示し、ステップ３ｐに移行する。  ステップ３ｐにおいて制御部１００は、デジタル放送の受信を終了するために、デジタル放送受信部３０や信号処理部４０などを停止させ、当該処理を終了する。
【００４０】
次に、図４に示す処理について説明する。ステップ４ａにおいて制御部１００は、操作部６０を通じてユーザからデジタル放送の受信要求が与えられてか否かを判定する。ここで上記受信要求が操作部６０を通じて与えられた場合には、ステップ４ｂに移行し、一方、上記受信要求が与えられない場合には、引き続きステップ４ａにて上記要求の発生を監視する。
【００４１】
ステップ４ｂにおいて制御部１００は、デジタル放送の受信に必要なデジタル放送受信部３０や信号処理部４０などを起動し、ステップ４ｃに移行する。これによりデジタル放送の受信に必要なデジタル放送受信部３０や信号処理部４０などが起動され、各部はデジタル放送の受信を開始する。
【００４２】
このため、ステップ４ｂ以降は、OFDM復調部３２で復調されたトランスポートストリームをＴＳ分離部４１が、音声データと、映像データと、セクションデータなどのエレメンタリストリームに分離し、セクションデコーダ４４は、ＴＳ分離部４１からセクションデータが与えられると、これをデコードして、制御部１００に出力する。
【００４３】
ステップ４ｃにおいて制御部１００は、操作部６０を通じてユーザからデジタル放送の受信をバックグラウンドで実行する要求が与えられてか否かを判定する。ここで上記要求が操作部６０を通じて与えられた場合には、ステップ４ｄに移行し、一方、上記要求が与えられない場合には、引き続きステップ４ｃにて上記要求の発生を監視する。
【００４４】
ステップ４ｄにおいて制御部１００は、デジタル放送の受信をバックグラウンドで実行し、ステップ４ｅに移行する。デジタル放送の受信をバックグラウンドで実行する場合とは、フォアグラウンドで他の処理（電子メールの作成など）を実行させながら、デジタル放送の音声のみをユーザが視聴するための処理である。すなわち、このとき、フォアグラウンドでは、他の処理を制御部１００は実行する。
【００４５】
このため、デジタル放送の受信をバックグラウンドで実行する場合、音声については、音声デコーダ４２によって得られたデジタル音声信号をアナログ変換部１０２がアナログ音声信号に変換し、イヤホン接続部８０を介して、イヤホン８１やスピーカ９０から拡声出力する。一方、映像については、映像デコーダ４３は映像データのデコードは行わず、また表示処理部１０３も放送映像を表示するための制御は行わず、フォアグラウンドで実行される映像や、待ち受け画面の映像を表示する。
【００４６】
ステップ４ｅにおいて制御部１００は、受信している放送の録画中、すなわち受信した映像データや音声データを記憶部７０に記録する処理を行っている最中であるか否かを判定する。ここで、放送の録画中の場合には、ステップ４ｆに移行し、一方、録画中ではない場合には、ステップ４ｈに移行する。
【００４７】
ステップ４ｆにおいて制御部１００は、操作部６０を通じてユーザからデジタル放送の受信をフォアグラウンドで実行する要求が与えられてか否かを判定する。ここで上記要求が操作部６０を通じて与えられた場合には、ステップ４ｇに移行し、一方、上記要求が与えられない場合には、ステップ４ｅに移行する。
【００４８】
ステップ４ｇにおいて制御部１００は、デジタル放送の受信をフォアグラウンドで実行し、ステップ４ｃに移行する。デジタル放送の受信をフォアグラウンドで実行する場合とは、ユーザが通常の放送視聴を行うための処理である。
【００４９】
このため、デジタル放送の受信をフォアグラウンドで実行する場合、音声については、音声デコーダ４２によって得られたデジタル音声信号をアナログ変換部１０２がアナログ音声信号に変換し、イヤホン接続部８０を介して、イヤホン８１やスピーカ９０から拡声出力する。一方、映像については、映像デコーダ４３が映像データのデコードを行い、表示処理部１０３は上記デコードの結果に基づく映像を表示部２０に表示する制御を行い、映像をユーザに映示する。
【００５０】
ステップ４ｈにおいて制御部１００は、カウントダウンタイマＴ２を起動し、予め設定された時間（例えば、５００ミリ秒）のカウントダウンを開始し、ステップ４ｉに移行する。
【００５１】
ステップ４ｉにおいて制御部１００は、セクションデコーダ４４からセクションデータに基づく制御データが入力されたか否かにより、セクションデータが受信できたか否かを判定する。ここで、制御データが入力されて、セクションデータが受信できた場合には、ステップ４ｊに移行し、一方、制御データが入力されず、セクションデータが受信できない場合には、ステップ４ｌに移行する。
【００５２】
ステップ４ｊにおいて制御部１００は、セクションデコーダ４４から与えられる制御データのセクションヘッダを解析し、ステップ４ｋに移行する。  
ステップ４ｋにおいて制御部１００は、ステップ４ｊの解析の結果、セクションヘッダにPMT(Program Map Table)が含まれているか否かを判定する。ここで、PMTが含まれている場合には、ステップ４ｈに移行し、一方、PMTが含まれていない場合には、ステップ４ｌに移行する。なお、PMTとは、番組を構成する各符号化信号を伝送するTSパケットのPIDであり、５００ミリ秒以内の頻度で送信局より送信される。
【００５３】
ステップ４ｌにおいて制御部１００は、ステップ４ｈで開始した上記カウントダウンタイマＴ２のカウントダウンが、タイムアウトしたか否かを判定する。すなわち、ステップ４ｈで開始したカウントダウンから、予め設定された時間（例えば、５００ミリ秒）が経過したか否かを判定する。ここで、予め設定された時間が経過した場合には、ステップ４ｍに移行し、一方、予め設定された時間が経過していない場合には、ステップ４ｉに移行する。
【００５４】
ステップ４ｍにおいて制御部１００は、カウントダウンタイマＴ１を起動し、予め設定された時間（例えば、６００秒）のカウントダウンを開始し、ステップ４ｎに移行する。  ステップ４ｎにおいて制御部１００は、セクションデコーダ４４からセクションデータに基づく制御データが入力されたか否かにより、セクションデータが受信できたか否かを判定する。ここで、制御データが入力されて、セクションデータが受信できた場合には、ステップ４ｏに移行し、一方、制御データが入力されず、セクションデータが受信できない場合には、ステップ４ｑに移行する。
【００５５】
ステップ４ｏにおいて制御部１００は、セクションデコーダ４４から与えられる制御データのセクションヘッダを解析し、ステッ４ｐに移行する。  
ステップ４ｐにおいて制御部１００は、ステップ４ｏの解析の結果、セクションヘッダにPMTが含まれているか否かを判定する。ここで、PMTが含まれている場合には、ステップ４ｈに移行し、一方、PMTが含まれていない場合には、ステップ４ｑに移行する。
【００５６】
ステップ４ｑにおいて制御部１００は、操作部６０に対する操作を監視して、ユーザがバックグラウンドで処理されるでデジタル放送アプリケーションに対する操作を行ったか否かを判定する。すなわち、ユーザが例えば、デジタル放送の受信チャネルの変更や、再生音量の変更を求める操作などを行ったか否かを判定する。
【００５７】
そして、操作が行われている場合には、ステップ４ｈに移行し、一方、操作が行われていない場合には、ステップ４ｒに移行する。なお、ここでの操作判定では、バックグラウンドについての操作に限定しなくてもよい。例えば、電子メールの作成などフォアグラウンドでの操作を監視してもよい。また、この判定では、受信状態が悪化してから所定時間が経過するまでの間に、ユーザ操作がない場合に、ユーザ操作なしと判定するようにしてもよい。
【００５８】
ステップ４ｒにおいて制御部１００は、操作部６０を通じてユーザからデジタル放送の受信をフォアグラウンドで実行する要求が与えられてか否かを判定する。ここで上記要求が操作部６０を通じて与えられた場合には、ステップ４ｑに移行し、一方、上記要求が与えられない場合には、ステップ４ｓに移行する。
【００５９】
ステップ４ｓにおいて制御部１００は、ステップ４ｍで開始した上記カウントダウンタイマＴ１のカウントダウンが、タイムアウトしたか否かを判定する。すなわち、ステップ４ｍで開始したカウントダウンから、予め設定された時間（例えば、６００秒）が経過したか否かを判定する。ここで、予め設定された時間が経過した場合には、ステップ４ｔに移行し、一方、予め設定された時間が経過していない場合には、ステップ４ｎに移行する。
【００６０】
ステップ４ｔにおいて制御部１００は、表示部２０上で、デジタル放送の受信を終了する旨の表示を既に表示している映像上にポップアップ表示し、ステップ４ｕに移行する。  ステップ４ｕにおいて制御部１００は、デジタル放送の受信を終了するために、デジタル放送受信部３０や信号処理部４０などを停止させ、当該処理を終了する。
【００６１】
以上のような、図３または図４を実行する上記構成の移動無線端末装置では、デジタル放送の受信をバックグラウンドで行う場合に、PMTができないような受信状態が悪化した状態が、所定時間継続するような場合に、デジタル放送受信部３０や信号処理部４０を停止させて、デジタル放送の受信を終了するようにしている。
【００６２】
すなわち、デジタル放送の受信状態が悪化して音声の再生出力が停止した場合、ユーザは、デジタル放送を受信するために必要なデジタル放送受信部３０や信号処理部４０が起動中であることを忘れてしまう可能性があるが、上述したように受信状態の悪化が所定時間継続すると、デジタル放送受信部３０や信号処理部４０を停止させて、デジタル放送の受信を終了するようにしている。
【００６３】
したがって、上記構成の移動無線端末装置によれば、バックグラウンドで実行中のデジタル放送の受信状態が悪化して、ユーザがデジタル放送の受信中であることを忘れてしまっても、デジタル放送の受信を終了するようにしているので、バッテリの浪費を防止することができる。
【００６４】
またバックグラウンドで実行中のデジタル放送の受信状態が悪化しても、ユーザ操作が行われたり、あるいは録画中の場合には、カウントダウンタイマを再起動して、デジタル放送の受信を終了しないようにしている。このため、ユーザが当該移動無線端末装置の傍らに居る可能性が高い場合や、録画を行っている場合に、デジタル放送の受信が継続される。
【００６５】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００６６】
その一例として例えば、上記実施の形態では、定期的に送られるはずのPMTが所定時間以上受信できない場合に、受信状態が悪化したものと判定するようにしてが、他の手法によりデジタル放送の受信状態の悪化を検出してもよい。  
例えば上記実施の形態では、携帯電話機でデジタル放送を受信する場合の例について説明したが、パーソナルコンピュータやPDA(Personal Digital Assistants)において、バックグラウンドでデジタル放送を受信する場合にも適用することができる。  
その他、この発明の要旨を逸脱しない範囲で種々の変形を施しても同様に実施可能であることはいうまでもない。
【図面の簡単な説明】
【００６７】
【図１】この発明に係わる移動無線端末装置の一実施形態の構成を示す回路ブロック図。
【図２】図１に示した移動無線端末装置のデジタル放送の受信に関わる構成を示す回路ブロック図。
【図３】図１に示した移動無線端末装置のデジタル放送受信時の動作を説明するためのフローチャート。
【図４】図１に示した移動無線端末装置のデジタル放送受信時の動作を説明するためのフローチャート。
【符号の説明】
【００６８】
１０…無線通信部、２０…表示部、３０…デジタル放送受信部、３１…チューナ、３２…OFDM復調部、４０…信号処理部、４１…TS分離部、４２…音声デコーダ、４３…映像デコーダ、４４…セクションデコーダ、５０…通話部、５１…マイクロホン、５２…スピーカ、６０…操作部、７０…記憶部、８０…イヤホン接続部、８１…イヤホン、９０…スピーカ、１００…制御部、１０１…チューナコントローラ、１０２…アナログ変換部、１０３…表示処理部、ＢＳ…基地局装置、ＮＷ…移動通信網。
【図１】
2010004545.tif 000003
【図２】
2010004545.tif 000004
【図３】
2010004545.tif 000005
【図４】
2010004545.tif 000006